(57)【要約】【課題】人工土壌の保水性を確保することができるとともに運搬や部品交換等の際における取り扱い性を向上させることができる緑化装置を提供すること。【解決手段】収容体８は、枠体３に着脱可能とされ、枠体３への取着状態において、枠内周面６を構成する互いに対向する一対の横枠材５に枠内周面６の内側からそれぞれ臨む一対の横壁部１０，１１と、これら横壁部１０，１１における対象面２側の端部同士の間に連設され、前記取着状態において枠内周面６の開口または断面開口を遮蔽する底壁部１２とを有し、一対の横壁部１０，１１および底壁部１２がなす空間内に人工土壌７が収容されること。【選択図】図１
2012024059.tif 000002
【特許請求の範囲】
【請求項１】
構造物における緑化すべき対象面を植物を用いて緑化するための緑化装置であって、
複数の縦枠材およびこれらに直交する複数の横枠材によって少なくとも１つの枠内周面を有するような矩形枠状に形成され、前記対象面に対向配置される枠体と、
植物を育成するための人工土壌を収容した状態で前記枠内周面の内側に配置される少なくとも１つの収容体と
を備え、
前記収容体は、
前記枠体に着脱可能とされ、
前記枠体への取着状態において、前記枠内周面を構成する互いに対向する一対の前記横枠材に前記枠内周面の内側からそれぞれ臨む一対の横壁部と、
これら横壁部における前記対象面側の端部同士の間に連設され、前記取着状態において、前記枠内周面の開口または断面開口を遮蔽する底壁部と
を有し、
前記一対の横壁部および前記底壁部がなす空間内に前記人工土壌が収容されること
を特徴とする緑化装置。
【請求項２】
鉛直方向に対して平行または傾斜状に形成された前記対象面の緑化に用いられ、
前記一対の横壁部のうちの前記底壁部に鉛直下方側において連設された一方の横壁部における前記対象面側と反対側の端部に、水分を貯留可能な溝部が垂設され、
前記人工土壌は、前記収容体への収容状態において前記溝部の内部にまで至ること
を特徴とする請求項１に記載の緑化装置。
【請求項３】
前記溝部は、前記一対の横枠材のうちの前記一方の横壁部が臨む一方の横枠材を、前記対象面側と反対側において覆い隠すような形状および大きさに形成され、
前記一対の横壁部のうちの他方の横壁部における前記対象面側と反対側の端部に、前記一対の横枠材のうちの他方の横枠材を前記対象面側と反対側において覆い隠すような形状および大きさに形成された端縁部が立設され、
前記溝部および前記端縁部に、前記一対の横枠材が前記対象面側と反対側において露出する場合に比較して前記対象面上の外観を向上させるための着色が施されていること
を特徴とする請求項２に記載の緑化装置。
【請求項４】
前記収容体は、金属製の基材と、この基材における前記人工土壌に臨む表面上に植設された水分保持機能を持つ植設繊維層とを有すること
を特徴とする請求項１乃至請求項３のいずれか１項に記載の緑化装置。
【請求項５】
前記枠体を前記対象面に対向させた状態で前記対象面に直交する所定の面上に起立状態に支承するための前記所定の面に立設される支柱を備えたこと
を特徴とする請求項１乃至請求項４のいずれか１項に記載の緑化装置。
【発明の詳細な説明】
【技術分野】
【０００１】
本発明は、緑化装置に係り、特に、構造物の対象面を植物を用いて緑化するのに好適な緑化装置に関する。
【背景技術】
【０００２】
近年、景観緑三法の施行等により、自然木が少ない都市部をはじめとした各地における計画的な緑化が推進されるようになった。
【０００３】
しかしながら、市街地や密集した住宅地等においては、樹木を植えるもしくは育成するための十分な敷地を確保することは非常に困難であった。
【０００４】
このようなことから、緑化のための独立した敷地を要しない好適な場所として、建築物の壁面等の既存の構造物の外面が着目されるようになり、これまでにも、この種の構造物の外面を緑化するための種々の試みがなされてきた。
【０００５】
例えば、特許文献１においては、上下横枠材、左右竪枠材、複数の仕切り枠材および底板によってフレーム枠を形成し、このフレーム枠に植物を育成するための人工土壌（特許文献１における植栽基盤）を取り付けて緑化パネルとし、このような緑化パネルを、構造物の壁面に複数取り付ける構成が提案されている。
【先行技術文献】
【特許文献】
【０００６】
【特許文献１】特開２００２−９５３４７号公報
【発明の概要】
【発明が解決しようとする課題】
【０００７】
ところで、この種の人工的な緑化を行う場合には、人工土壌が外気（特に、風）によって乾き易いため、人工土壌の保水性を確保することが重要であった。
【０００８】
この点、特許文献１においては、フレーム枠に底板を設けて風の吹き抜けを防止しているので、人工土壌の保水性を確保することは可能であった。
【０００９】
しかしながら、特許文献１においては、底板が１つの緑化パネルに対応するように大判に形成されているため、緑化パネルの組立前または解体後における運搬の際の取り扱いが煩雑となり、また、底板が老朽化等によって劣化した場合には、フレーム枠に取り付けられている複数の人工土壌のすべてをフレーム枠から取り外した上で底板を交換しなければならないといった問題があった。
【００１０】
そこで、本発明は、このような問題点に鑑みなされたものであり、人工土壌の保水性を確保することができるとともに運搬や部品交換等の際における取り扱い性を向上させることができる緑化装置を提供することを目的とするものである。
【課題を解決するための手段】
【００１１】
前述した目的を達成するため、本発明に係る緑化装置は、構造物における緑化すべき対象面を植物を用いて緑化するための緑化装置であって、複数の縦枠材およびこれらに直交する複数の横枠材によって少なくとも１つの枠内周面を有するような矩形枠状に形成され、前記対象面に対向配置される枠体と、植物を育成するための人工土壌を収容した状態で前記枠内周面の内側に配置される少なくとも１つの収容体とを備え、前記収容体は、前記枠体に着脱可能とされ、前記枠体への取着状態において、前記枠内周面を構成する互いに対向する一対の前記横枠材に前記枠内周面の内側からそれぞれ臨む一対の横壁部と、これら横壁部における前記対象面側の端部同士の間に連設され、前記取着状態において、前記枠内周面の開口または断面開口を遮蔽する底壁部とを有し、前記一対の横壁部および前記底壁部がなす空間内に前記人工土壌が収容されることを特徴としている。このような構成によれば、収容体の底壁部によって枠内周面の内側の空間における外気の通り抜けを抑制することができるので、人工土壌の乾燥を抑制して保水性を確保することができ、また、底壁部の運搬や交換を収容体の単位で容易に行うことができる。さらに人工土壌の設置および交換も収容体の着脱によって容易に行うことができる。
【００１２】
また、鉛直方向に対して平行または傾斜状に形成された前記対象面の緑化に用いられ、前記一対の横壁部のうちの前記底壁部に鉛直下方側において連設された一方の横壁部における前記対象面側と反対側の端部に、水分を貯留可能な溝部が垂設され、前記人工土壌は、前記収容体への収容状態において前記溝部の内部にまで至るようにしてもよい。このような構成によれば、溝部に貯留された水分によって、人工土壌の保水性を向上させることができる。
【００１３】
さらに、前記溝部は、前記一対の横枠材のうちの前記一方の横壁部が臨む一方の横枠材を、前記対象面側と反対側において覆い隠すような形状および大きさに形成され、前記一対の横壁部のうちの他方の横壁部における前記対象面側と反対側の端部に、前記一対の横枠材のうちの他方の横枠材を前記対象面側と反対側において覆い隠すような形状および大きさに形成された端縁部が立設され、前記溝部および前記端縁部に、前記一対の横枠材が前記対象面側と反対側において露出する場合に比較して前記対象面上の外観を向上させるための着色が施されていてもよい。このような構成によれば、横枠材を覆い隠すように形成された溝部および端縁部にそれぞれ施された着色により、対象面上の外観を向上させるといった景観の美化を利用目的の１つとした緑化装置に適した付加価値を生み出すことができる。さらに、端縁部を横枠材に当接させた状態で収容体を枠体に安定的に取り付けることもできる。
【００１４】
さらにまた、前記収容体は、金属製の基材と、この基材における前記人工土壌に臨む表面上に植設された水分保持機能を持つ植設繊維層とを有していてもよい。このような構成によれば、植設繊維層によって人工土壌の保水性をさらに向上させることができる。
【００１５】
また、前記枠体を前記対象面に対向させた状態で前記対象面に直交する所定の面上に起立状態に支承するための前記所定の面に立設される支柱を備えるようにしてもよい。このような構成によれば、枠体を簡便かつ安定的に支承することができる。
【発明の効果】
【００１６】
本発明によれば、人工土壌の保水性を確保することができるとともに運搬や部品交換等の際における取り扱い性を向上させることができる。
【図面の簡単な説明】
【００１７】
【図１】本発明に係る緑化装置の実施形態を示す斜視図
【図２】本発明に係る緑化装置の実施形態を示す主要部の分解斜視図
【図３】本発明に係る緑化装置の実施形態を示す断面図
【図４】本発明に係る緑化装置の第１変形例を示す断面図
【図５】第１変形例の具体的な構成を示す構成図
【図６】本発明に係る緑化装置の第２変形例を示す斜視図
【図７】本発明に係る緑化装置の第３変形例を示す斜視図
【図８】本発明に係る緑化装置の第４変形例を示す斜視図
【発明を実施するための形態】
【００１８】
以下、本発明に係る緑化装置の実施形態について、図１乃至図８を参照して説明する。
【００１９】
図１に示すように、本実施形態における緑化装置１は、建築物等の構造物における壁面等の緑化すべき対象面２に対向配置された状態で、この対象面２を植物を用いて緑化するようになっている。なお、図１においては、対象面２が鉛直方向に平行な面となっているが、本発明は、例えば、屋根の上面等の鉛直方向に対して傾斜した対象面にも好適に用いることができる。
【００２０】
このような対象面の緑化に用いられる緑化装置１の具体的な構成について説明すると、図１に示すように、緑化装置１は、対象面２に対向配置された状態で対象面２に固定される金属製の枠体３を有している。この枠体３は、図１に示すように、横方向（水平方向）に所定の間隔を設けて配置された複数の縦枠材４と、縦方向（鉛直方向）に所定の間隔を設けて配置された縦枠材４に直交する複数の横枠材５とによって矩形枠状に形成されている。また、図１に示すように、枠体３は、縦枠材４の左側面または右側面と横枠材５の上面または下面とによって構成される断面矩形状の複数（図１において６つ）の枠内周面６を有している。
【００２１】
なお、枠体３を対象面２に固定する方法としては、例えば、特許文献１と同様に、縦枠材４および横枠材５の図１における後端面（背面）にブラケットを設け、このブラケットを対象面２にボルト等の連結手段を用いて連結する方法を採用してもよい。あるいは、特願２０１０−１１４２９０号に記載されている鉄板（２３）および磁力固定部材（２４）を用いて枠体３を対象面２に固定してもよい。また、枠材３は、例えば、アルミニウム合金等の耐候性に優れた軽量合金によって形成してもよいし、あるいは、ステンレス（ＳＵＳ）等の防錆性に優れた合金鋼によって形成してもよい。さらに、縦枠材４、横枠材５および枠内周面６の個数は、図１に示したものに限定されない。さらにまた、枠体３は、軽量化の観点から中空に形成してもよい。また、枠体３は、縦枠材４と横枠材５とをボルト等の連結手段を介して連結させることによって簡便に組み上げられるものであってもよい。
【００２２】
また、図２に示すように、緑化装置１は、植物の種子が含まれた当該植物を育成するための人工土壌７を収容する収容体８を有しており、この収容体８は、図３に示すように、人工土壌７を収容した状態で枠内周面６の内側に部分的に配置されるようになっている。この収容体８は、人工土壌７を収容した状態で枠体３における任意の枠内周面６に対応する位置に着脱可能とされおり、この枠体３の着脱により、枠体３に対する人工土壌７の設置および交換を簡便に行うことができるようになっている。なお、収容体８は、ステンレス鋼（ＳＵＳ）、表面処理鋼鈑、アルミニウム板あるいはアルミニウム合金等の金属を用いて形成してもよい。また、人工土壌７としては、例えば、東邦レオ株式会社製のビバソイル（登録商標）あるいは株式会社クレアテラ製のガーデンマット（登録商標）等の種々の人工土壌を用いることができる。また、人工土壌７は、必要に応じて収容体８内に収納される好適な形状（図１参照）に展張可能な不図示の可撓性の袋体内に収容されて好適な形状が保持されるものであってもよい。ただし、この袋体は、人工土壌７への吸水および植物の発芽を許容するための開孔が形成されていることが望ましい。また、人工土壌７は、好適な材料からなるバインダーによって好適な形状に適度な硬さで固められたものであってもよい。
【００２３】
次に、収容体８の具体的な構成について説明すると、まず、図２および図３に示すように、収容体８は、上側横壁部１０および下側横壁部１１からなる互いに平行な上下一対の横壁部１０，１１を有している。図３に示すように、上側横壁部１０は、収容体８の枠体３への取着状態において、枠内周面６における上面部６ａを構成する横枠材５に、枠内周面６の内側（下側）から臨むようになっている。なお、上面部６ａは、これに対応する横枠材５の下面によって構成されている。一方、図３に示すように、下側横壁部１１は、前記取着状態において、枠内周面６における下面部６ｂを構成する横枠材５に、枠内周面６の内側（上側）から臨むようになっている。なお、下面部６ｂは、これに対応する横枠材５の上面によって構成されている。ここで、図３からも分かるように、上面部６ａを構成する横枠材５と、下面部６ｂを構成する横枠材５とは、縦枠材４の長手方向において互いに対向している。
【００２４】
また、図２および図３に示すように、収容体８は、両横壁部１０，１１のそれぞれの後端部（対象面２側の端部）同士の間に連設された底壁部１２を有している。図３に示すように、底壁部１２は、前記取着状態において、枠内周面６の後端部開口６ｃを遮蔽するようになっている。ただし、横壁部１０，１１の奥行きが枠体３の奥行きよりも短い場合には、前記取着状態において、底壁部１２は、枠内周面６の断面開口を遮蔽することになる。
【００２５】
そして、これら両横壁部１０，１１および底壁部１２がなす空間内に、人工土壌７が収容されるようになっている。
【００２６】
さらに、これ以外にも、収容体８は、図２および図３に示すように、下側横壁部１１における前端部（対象面２側と反対側の端部）に垂設された上部が開口したコの字状を呈する溝部１３を有しており、この溝部１３は、水分を貯留可能とされている。図２に示すように、溝部１３は、前壁部１３Ａ、底壁部１３Ｂおよび後壁部１３Ｃの平板状の３つの壁部１３Ａ，１３Ｂ，１３Ｃが連設されてなる。そして、図３に示すように、人工土壌７は、収容体８への収容状態において、溝部１３の内部にまで至るように形成されている。また、図３に示すように、溝部１３は、下側横壁部１１が臨む横枠材５を前方（対象面２側と反対側）において覆い隠すような形状（前方から見て長方形状）および大きさに形成されている。
【００２７】
さらにまた、収容体８は、図２および図３に示すように、上側横壁部１０における前端部に上方に向かって立設された端縁部１４を有しており、この端縁部１４は、上側横壁部１０が臨む横枠材５を前方において覆い隠すような形状（前方から見て長方形状）および大きさに形成されている。なお、前記取着状態において、端縁部１４は、これが覆い隠す横枠材５の前端面に当接するようになっている。
【００２８】
また、溝部１３および端縁部１４には、これらに覆い隠された横枠材５が前方において露出する場合に比較して対象面２上の外観を向上させるための着色が施されている。この着色による色は、横枠材５の色に比べて育成すべき植物の色に近い色であることが好ましい。ただし、単一色に限定しなくてもよい。このような着色は、例えば、溝部１３における前壁部１３Ａの前端面１３ａおよび端縁部１４の前端面に施せばよい。
【００２９】
なお、収容体８の枠体３への取着は、端縁部１４をボルト等の連結手段によって横枠材５に連結することによって行うようにしてもよい。
【００３０】
さらに、図１および図２に示すように、緑化装置１は、人工土壌７及びその人工土壌７に植えた植物の脱落を防止するための収容体８ごとの金網１５を有しており、この金網１５は、人工土壌７及びその人工土壌７に植えた植物における枠体３から前方にはみ出した部位を前方から取り囲むようにして枠体３の前端部に着脱可能とされている。なお、金網１５を枠体３に取着する方法としては、例えば、枠体３の前端部に、金網１５の左右の後端部１５ａ，１５ｂに対応する嵌合溝をそれぞれ形成して、この嵌合溝に左右の後端部１５ａ，１５ｂを嵌合させた上で、さらに、嵌合溝に沿った長尺な押さえ部材を嵌合溝に押し込む方法を用いてもよいが、このような方法に限定されるものではない。
【００３１】
さらにまた、図３に示すように、複数の収容体８を上下で互いに隣接させるように枠体３に取着する場合には、下側に取着された収容体８における端縁部１４と、上側に取着された収容体８における溝部１３とが、互いに前後で重なることになる。このとき、これら端縁部１４と溝部１３との重なりによって上側に取着される収容体８の枠内周面６内への挿し込みが不十分とならないように、溝部１３の後壁部１３Ｃ（換言すれば、下側横壁部１１の前端部）は、端縁部１４（換言すれば、上側横壁部１０の前端部）よりも僅かに前方に形成されていることが望ましい。
【００３２】
このような構成を有する緑化装置１を設置する場合には、枠体３を対象面２に対向させて固定した上で、人工土壌７及びその人工土壌７に植えた植物が収容された収容体８を、枠体３における所望の枠内周面６内に挿し込む。その上で、金網１５を、人工土壌７及びその人工土壌７に植えた植物における枠体３からのはみ出し部位に前方から被せるようにして枠体３に取着する。
【００３３】
このとき、特許文献１に示したような大判の底板を用意する必要がないので、緑化装置１の設置のための部品の運搬を容易に行うことができる。このことは、解体後の運搬においても同様である。また、底壁部１２が劣化した場合においても、収容体８単位で簡便に交換ができる。
【００３４】
そして、このようにして設定された緑化装置１に対して、例えば、前方から水栓に連結されたホース等を用いて人工土壌７に水を供給する。
【００３５】
このとき、底壁部１２によって枠内周面６の内側の空間における外気の通り抜けを抑制することができるので、人工土壌７の乾燥が抑制され、人工土壌７が供給された水を良好に保持することができる。
【００３６】
また、このとき、供給された水の一部を溝部１３に貯留させるとともに、この貯留された水に人工土壌７の一部を浸らせることができるので、人工土壌７が供給された水を更に有効に保持することができる。
【００３７】
さらに、横枠材５を覆い隠すように形成された溝部１３および端縁部１４にそれぞれ施された着色により、対象面２上の外観を良好にすることができる。
【００３８】
（第１の変形例）
前述した実施形態に対する第１の変形例としては、収容体８を図４に示すように構成する。
【００３９】
すなわち、図４に示すように、本変形例における収容体８は、金属製（例えば、ステンレス鋼、表面処理鋼板、アルミニウム板またはアルミニウム合金製）の基材１６と、この基材１６における人工土壌７に臨む表面上に植設された水分保持機能を持つ植設繊維層１７とを有している。また、植設繊維層１７を有すると水分保持機能を有するので、収容体８用の基材１６としてはより望ましいが、植設繊維層１７を有さない金属板製（例えば、ステンレス鋼板、表面処理鋼板、アルミニウム板またはアルミニウム合金板製）の基材１６を収容体８として用いることができる。これらの金属板に有機樹脂などを被覆した基材１６も収容体８として使用できる。
【００４０】
ここで、植設繊維層１７は、図５に示すように、例えば金属を折り曲げ加工してなる基材１６の表面にプレコート層１８を形成し、このプレコート層１８に、多数の樹脂繊維素材２０を接着剤層１９を介して植設することによって形成することができる。この樹脂繊維素材２０の材質、太さ、高さおよび密度等は、植設繊維層１７が水分を保持するのに好ましい条件を満たすように形成すればよい。例えば、ナイロン繊維を、太さ１９μｍ、高さ０．８ｍｍ、密度３０，０００本／ｃｍ２として植設繊維層１７を形成してもよい。
【００４１】
本変形例によれば、植設繊維層１７によって人工土壌７の保水性を更に向上させることができる。
【００４２】
（第２の変形例）
次に、第２の変形例としては、縦枠材４を図６に示すように構成する。
【００４３】
すなわち、図６に示すように、本変形例における縦枠材４は、その前端面４ａ（対象面２と反対側の端面）が、前記取着状態において溝部１３における前壁部１３Ａの前端面１３ａ（図２参照）と同一面上となるように形成されている。換言すれば、縦枠材４の前端面４ａは、横枠材５の前端面５ａよりも溝部１３の奥行きに相当する大きさだけ前方に突出するように形成されている。
【００４４】
本変形例によれば、図１〜図３の構成において枠体３の前方にはみ出していた人工土壌７の一部（はみ出し部位）を、横枠材５の前端面５ａから前方に延出された縦枠材４の側面４ｂによって左右から保持することができる。この結果、人工土壌７の保水性および形状保持性を向上させることができ、また、人工土壌７及びその人工土壌７に植えた植物の脱落を防止するための金網１５の形状を簡易な略平板状（図６参照）にすることも可能となる。
【００４５】
（第３の変形例）
次に、第３の変形例としては、収容体８を図７に示すように構成する。
【００４６】
すなわち、図７に示すように、本変形例においては、収容体８が、図２および図３に示した構成に加えて、更に、上側横壁部１０、下側横壁部１１、底壁部１２および溝部１３のそれぞれの左端部に連設された左側縦壁部２２と、各壁部１０〜１２および溝部１３のそれぞれの右端部に連設された右側縦壁部２３とを有している。また、両縦壁部２２，２３の前端部は、溝部１３における前壁部１３Ａの前端面１３ａと同一面上となる位置まで形成されている。
【００４７】
本変形例によれば、縦壁部２２，２３によって他の壁部１０〜１２と協働して収容体８を箱状に構成することができるので、人工土壌７の保水性を更に有効に確保することができ、また、人工土壌７の形状保持性を向上することができ、さらに、人工土壌７が飛散しやすいものであっても、人工土壌７の収容体８内への収容作業を容易に行うことができる。
【００４８】
なお、本変形例の収容体８は、平面に展開できる形状を有しているので、金属の折り曲げ加工によって溶接部位を可及的に削減した状態で形成することも可能である。
（第４の変形例）
次に、第４の変形例としては、収容体８を図８に示すように構成する。
【００４９】
すなわち、図８に示すように、本変形例においては、図２および図３に示した構成に加えて、更に、端縁部１４の左右の両端部に、端縁部１４と面一状かつ一体の平板とされ、端縁部１４から左右にそれぞれ延出された左右一対の延出部２５，２６が形成されている。両延出部２５，２６の下端部は、下側横枠材１１と同じ高さの位置に至っている。
【００５０】
さらに、両延出部２５，２６の前端面には、前述した溝部１３および端縁部１４に施された着色と同色の着色が施されている。
【００５１】
本変形例によれば、着色が施された左右の延出部２５，２６によって縦枠材４の前端面を前方から覆い隠すことができるので、対象面２上の外観をさらに向上させることができる。
【００５２】
なお、延出部２５，２６の形状および大きさは、縦枠材４を前方から覆い隠すのに好適な形状および大きさに設計することが必要であるが、それだけでなく、左右で互いに隣接する収容体８同士の間で、左側の収容体８における右側の延出部２６と右側の収容体８における左側の延出部２５とが前後で重なり合う場合に、一方の収容体８の枠内周面６内への挿し込みが不十分となることを念頭においた設計を行うことが望ましい。すなわち、延出部２５，２６が左右の収容体８同士の間で抵触しないように、延出部２５，２６の横幅は、縦枠材４の前端面の横幅の半分以下にすることが望ましい。
【００５３】
以上述べたように、本発明によれば、収容体８の底壁部１２によって枠内周面６の内側の空間における外気の通り抜けを抑制することができるので、人工土壌７の乾燥を抑制して保水性を確保することができ、また、底壁部１２の運搬や交換を収容体８の単位で容易に行うことができる。
【００５４】
なお、本発明は、前述した実施の形態に限定されるものではなく、本発明の特徴を損なわない限度において種々変更することができる。
【００５５】
例えば、本発明は、第１の変形例乃至第４の変形例を適宜組み合わせた新たな変形例にも有効に適用することができる。
【００５６】
また、前述した実施形態においては、枠体３を対象面２に固定する構成について述べたが、このような構成の代わりに、枠体３を、対象面２に対向させた状態で対象面２に直交する所定の面（例えば、対象面２の前方の地面や路面等）上に起立状態に支承してもよい。そのための具体的な手段としては、前記所定の面に金属等からなる支柱を立設し、この支柱に枠体３を固定すればよい。この場合に、支柱は、枠体３の図１における左右の両端部に１本ずつ配置してもよい。また、枠体３は、支柱に着脱可能とすればよく、さらに、支柱も、前記所定の面に着脱可能としてもよい。さらに、枠体３は、前記所定の面上に支承された状態において、支柱に固定されてさえいれば、前記所定の面上に接触していてもよいし、前記所定の面から上方に浮き上がっていてもよい。さらにまた、枠体３を支柱に固定する手段としては、ボルト等による締結や嵌合手段による嵌合等の各種の固定手段を採用することができる。また、必要に応じて、前記所定の面に支柱を挿し込むための穴部を設けても良い。
【符号の説明】
【００５７】
１  緑化装置
２  対象面
３  枠体
４  縦枠材
５  横枠材
６  枠内周面
７  人工土壌
８  収容体
１０  上側横壁部
１１  下側横壁部
１２  底壁部
【図１】
2012024059.tif 000003
【図２】
2012024059.tif 000004
【図３】
2012024059.tif 000005
【図４】
2012024059.tif 000006
【図５】
2012024059.tif 000007
【図６】
2012024059.tif 000008
【図７】
2012024059.tif 000009
【図８】
2012024059.tif 000010